【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
ビットストリームが、
現行のフレームを１つの符号化技術にしたがって復号化する際に使用されるべき以前のフレームのセグメントを参照する、前記現行のフレームについてのメインの符号化された情報と、
前記現行のフレームを前記符号化技術にしたがって復号化するための、前記以前のフレームの参照されたセグメントに関連する信号履歴情報であって、該信号履歴情報を参照して前記符号化技術にしたがって前記現行のフレームの複合化を支援するために選択される信号履歴情報を含む冗長な符号化された情報と
を含み、オーディオ処理ツールにおいて、オーディオ信号についての前記ビットストリームを処理するステップと、
結果を出力するステップと
を含むことを特徴とする方法。
【請求項２】
前記オーディオ処理ツールは、リアルタイムスピーチエンコーダであり、前記結果は、符号化されたスピーチであることを特徴とする請求項１に記載の方法。
【請求項３】
前記信号履歴情報は、前記参照されたセグメントについての励起履歴を含み、前記以前のフレームの１つまたは複数の参照されないセグメントについての励起履歴を含まないことを特徴とする請求項１に記載の方法。
【請求項４】
前記オーディオ処理ツールは、スピーチデコーダであり、前記処理するステップでは、前記以前のフレームが前記デコーダにとって使用可能であるか否かにかかわらず、前記現行のフレームを復号化する際に前記冗長な符号化された情報を使用することを特徴とする請求項１に記載の方法。
【請求項５】
前記オーディオ処理ツールは、スピーチデコーダであり、前記処理するステップでは、前記以前のフレームが前記デコーダにとって使用可能でない場合だけ、前記現行のフレームを復号化する際に前記冗長な符号化された情報を使用することを特徴とする請求項１に記載の方法。
【請求項６】
前記信号履歴情報は、品質レベルで符号化され、該品質レベルは、前記現行のフレームを復号化する際に前記冗長な符号化された情報の使用の可能性に少なくとも部分的に依存して設定されることを特徴とする請求項１に記載の方法。
【請求項７】
前記オーディオ処理ツールは、スピーチデコーダであり、前記処理するステップでは、前記以前のフレームが前記デコーダにとって使用可能でない場合に、前記依然のフレームを復号化する際に前記冗長な符号化された情報を使用することを特徴とする請求項１に記載の方法。
【請求項８】
ビットストリームが、
現行の符号化されたユニットを復号化する際に使用されるべき以前の符号化されたユニットのセグメントを参照する、前記現行の符号化されたユニットについてのメインの符号化された情報と、
前記現行の符号化されたユニットを復号化するための、前記以前の符号化されたユニットが使用可能でない場合だけに、前記現行の符号化されたユニットを復号化する際に使用されるべき１つまたは複数の余分なコードブックステージについての１つまたは複数のパラメータを含む冗長な符号化された情報と
を含み、オーディオ処理ツールにおいて、オーディオ信号についての前記ビットストリームを処理するステップと、
結果を出力するステップと
を含むことを特徴とする方法。
【請求項９】
前記現行の符号化されたユニットについての前記メインの符号化された情報は、前記現行の符号化されたユニットについての再構成と、前記現行の符号化されたユニットについての予測との間における１つまたは複数の差を表す残留信号パラメータを含むことを特徴とする請求項８に記載の方法。
【請求項１０】
前記オーディオ処理ツールは、オーディオエンコーダであり、
前記ビットストリームを処理するステップは、前記のオプションの冗長な符号化された情報を生成するステップを含み、前記のオプションの冗長な符号化された情報を生成するステップでは、前記以前の符号化されたユニットについての励起情報を仮定しない閉ループエンコーダ検索中において前記１つまたは複数の余分なコードブックステージについての前記１つまたは複数のパラメータを決定することを特徴とする請求項８に記載の方法。
【請求項１１】
前記オーディオ処理ツールは、スピーチデコーダであり、
前記以前の符号化されたユニットが前記デコーダにとって使用可能でない場合、次いで前記コードブックについての前記１つまたは複数のパラメータが、前記現行の符号化されたユニットを復号化する際に前記デコーダによって使用され、
前記以前の符号化されたユニットが前記デコーダにとって使用可能である場合には、次いで前記コードブックについての前記１つまたは複数のパラメータが、前記現行の符号化されたユニットを復号化する際に前記デコーダによって使用されないことを特徴とする請求項８に記載の方法。
【請求項１２】
前記１つまたは複数の余分なコードブックステージについての１つまたは複数のパラメータは適応コードブックステージに続く固定されたコードブックステージ中における固定されたコードブックに関するパラメータであり、前記１つまたは複数の余分なコードブックステージについての前記１つまたは複数のパラメータは、コードブックインデックスおよび利得を含むことを特徴とする請求項８に記載の方法。
【請求項１３】
前記適応コードブックステージ中における適応コードブックについての１つまたは複数のパラメータは、前記以前の符号化されたユニットについての励起履歴に関する前記現行の符号化されたユニットについての励起信号を表し、前記固定されたコードブックについての前記１つまたは複数のパラメータは、前記励起履歴に関しない前記励起信号を表すことを特徴とする請求項１２に記載の方法。
【請求項１４】
前記オーディオ処理ツールは、オーディオデコーダであり、
前記ビットストリームを処理するステップでは、
前記以前の符号化されたユニットが使用可能でない場合、次いで前記現行の符号化されたユニットを復号化する際に、少なくとも一部の前記メインの符号化された情報と、前記１つまたは複数の余分なコードブックステージについての前記１つまたは複数のパラメータとを使用し、
前記以前の符号化されたユニットが使用可能である場合には、次いで前記現行の符号化されたユニットを復号化する際に、前記メインの符号化された情報を使用するが、前記１つまたは複数の余分なコードブックステージについての前記１つまたは複数のパラメータを使用しない
ことを特徴とする請求項８に記載の方法。
【請求項１５】
オーディオ処理ツールにおいて、複数の符号化されたオーディオのユニットを含むビットストリームを処理するステップを有し、前記複数の符号化されたユニットの符号化された各ユニットは、
前記符号化されたユニットが、前記オーディオ信号のセグメントを表すメインの符号化された情報を含むかどうか、および、
前記符号化されたユニットが、前記オーディオ信号のセグメントを表し、前記セグメントについてのメインの符号化された情報を復号化する際に使用するための冗長な符号化された情報を含むかどうか
を示すフィールドを含むことを特徴とする方法。
【請求項１６】
前記符号化された各ユニットについてのフィールドは、前記符号化されたユニットが、
メインの符号化された情報と冗長な符号化された情報の両方を含むか、
メインの符号化された情報を含むが、冗長な符号化された情報を含まないか、あるいは
冗長な符号化された情報を含むが、メインの符号化された情報を含まないか
のいずれであるかを示すことを特徴とする請求項１５に記載の方法。
【請求項１７】
前記処理するステップは、少なくとも一部の前記複数の符号化されたユニットをパケット化するステップを含み、対応するメインの符号化された情報を復号化するための冗長な符号化された情報を含み、前記対応するメインの符号化された情報を含まないパケット化され符号化された各ユニットは、前記対応するメインの符号化された情報を伴うパケット中に含められることを特徴とする請求項１５に記載の方法。
【請求項１８】
前記処理するステップでは、前記複数の符号化されたユニットのうちの現行の符号化されたユニット中における冗長な符号化された情報が、オプションであるかどうかを決定することを特徴とする請求項１５に記載の方法。
【請求項１９】
前記処理するステップでは、前記現行の符号化されたユニット中における前記冗長な符号化された情報が、オプションである場合に、前記現行の符号化されたユニット中における前記冗長な符号化された情報をパケット化すべきかどうかを決定することを特徴とする請求項１８に記載の方法。
【請求項２０】
前記複数の符号化されたユニットのうちの現行の符号化されたユニットが、冗長な符号化された情報を含む場合に、次いで前記現行の符号化されたユニットについての前記フィールドは、前記現行の符号化されたユニットについての前記冗長な符号化された情報の分類を示すことを特徴とする請求項１５に記載の方法。